(57)【要約】【課題】従来の羽根形状を複雑に変形させることなくポンプ効率を向上させることができ、且つ、低コストで容易に製造することができるボルテックス形ポンプ用羽根車を提供する。【解決手段】ボルテックス形ポンプ用の羽根車であって、主板と、主板に固定される複数の羽根とを備えており、複数の羽根は、互いに且つ主板と別体に構成されており、複数の羽根のうち少なくとも１つの羽根の前方面が、少なくとも部分的に、主板から、羽根車の回転方向と逆方向に羽根車の中心軸に対して傾斜して延びている、羽根車。【選択図】図２
2018009501.tif 000002
【特許請求の範囲】
【請求項１】
ボルテックス形ポンプ用の羽根車であって、主板と、前記主板に固定される複数の羽根とを備えており、前記複数の羽根は、互いに且つ前記主板と別体に構成されており、前記複数の羽根のうち少なくとも１つの羽根の前方面が、少なくとも部分的に、前記主板から、前記羽根車の回転方向と逆方向に前記羽根車の中心軸に対して傾斜して延びている、羽根車。
【請求項２】
前記少なくとも１つの羽根の後方面が、前記前方面と平行に延びている、請求項１に記載の羽根車。
【請求項３】
前記複数の羽根の各々は、前記主板の下面に取り付けられる取り付け面を備えている、請求項１または２に記載の羽根車。
【請求項４】
前記主板は、前記複数の羽根を前記主板に取り付けるための複数の取り付け開口を備えており、前記複数の羽根は、それぞれ、前記取り付け開口に嵌め込まれる嵌合部を備えている、請求項１または２に記載の羽根車。
【請求項５】
請求項１〜４のいずれか一項に記載の羽根車を備える、ボルテックス形ポンプ。
【請求項６】
複数の羽根のうち少なくとも１つの羽根の前方面が、少なくとも部分的に、主板から羽根車の中心軸に対して傾斜して延びているボルテックス形ポンプ用羽根車を製造する方法であって、前記主板を用意する工程と、互いに且つ前記主板と別体に形成される前記複数の羽根を用意する工程と、前記少なくとも１つの羽根の前方面が、少なくとも部分的に、前記主板から、前記羽根車の回転方向と逆方向に前記羽根車の中心軸に対して傾斜して延びるように、前記複数の羽根の各々の取り付け部を前記主板に取り付ける工程と、を備える方法。
【請求項７】
前記取り付ける工程は、前記取り付け部を前記主板の下面に面接触させる工程を含む、請求項６に記載の方法。
【請求項８】
前記主板を用意する工程は、前記取り付け部に対応する取り付け開口を前記主板の下面に形成する工程を含み、
前記取り付ける工程は、前記取り付け部を前記主板の前記取り付け開口に嵌め込む工程を含む、請求項６に記載の方法。
【発明の詳細な説明】
【技術分野】
【０００１】
本発明は、ボルテックス形ポンプ用羽根車、ボルテックス形ポンプ、及びボルテックス形ポンプ用羽根車の製造方法に関する。
【背景技術】
【０００２】
ボルテックス形ポンプは、羽根車の羽根の下面と羽根車を収容するケーシング底面との間に大きな間隔を有している。従って、ボルテックス形ポンプは、異物によるポンプ内での閉塞事故の発生を防止することができる汚水・汚物用ポンプとして広く使用されている。
【０００３】
従来の一般的なボルテックス形ポンプの構造を図１５に示す。これは、主軸１を駆動するモータ部２と、主軸１の回転によって揚水を行うポンプ部３とを一体に備えている。そして、ポンプ部３の圧力水がモータ部２側へ漏洩しないように、ポンプ部３とモータ部２の間を上部メカニカルシール４ａ及び下部メカニカルシール４ｂで２重に軸封したものである。
【０００４】
モータ部２には、主軸１と一体に回転するロータ５と、ステータ巻線６を備えたステータ７とがモータ室８内に収納されている。このモータ室８は、上方に開口した略円筒状のモータフレーム１０とモータフレーム１０の上端に連結したモータカバー１１で水密的に封止されているとともに、上部には、水中ケーブル１２が接続されている。
【０００５】
そして、主軸１は、モータカバー１１に取付けた上部軸受１３とモータフレーム１０の下端に連結した負荷側ブラケット１４の内周面に取付けた下部軸受１５を介して回転自在に支承されている。更に、モータカバー１１の上面には、湧水現場への吊下げや移動を行なう把手１６が設けられている。
【０００６】
一方、ポンプ部３は、複数の羽根４０を有し主軸１の先端にこれと一体に回転するように連結されたボルテックス形ポンプ用羽根車４１を備えている。この羽根車４１は、吐出口４２ａと吸込口４２ｂを有し、内部をポンプ室４３としたポンプケーシング４２で覆われて、下部から湧水・汚水等を吸い込んで側面から吐出するようになっている。ここに、吐出口４２ａには、吐出曲管２４が連結されている。
【０００７】
羽根車４１の羽根４０の下端面とポンプケーシング４２の底面の間には、ボルテックス形ポンプの特徴である広い空隙が設けられており、比較的大きな異物でも容易に排出することができるようになっている。また、ポンプケーシング４２には、ポンプを自立させるようにしたポンプ台４５が取付けられている。
【０００８】
メカニカルシール４ａ，４ｂは、負荷側ブラケット１４とポンプケーシング４２とを接続する中間ケーシング３０と負荷側ブラケット１４とで区画されたメカニカルシール室３１内に配置され、この軸封部には、メカニカルシール摺動面の潤滑と冷却を行う油が封入されている。また、メカニカルシール４ａ，４ｂの寿命を長くするため、中間ケーシング３０と羽根車４１のボス部との間にオイルシール３２が組み込まれて、砂等の異物がメカニカルシール摺動面に接近するのを防いでいる。
【０００９】
ここで、従来のボルテックス形ポンプ用羽根車４１の形状の例を図１６に示す。図１６の例では、従来のボルテックス形ポンプ用羽根車４１は、互いに平行に延在する前方面４
０ａ及び後方面４０ｂを有する複数の羽根４０を備えている。複数の羽根４０の各々は、シュラウド面４０ｃから羽根車４１の中心軸Ｃに対して平行に延在している。ここで、「羽根の前方面」とは、羽根車４１の回転方向Ｒに関して前方を向く面を意味し、「羽根の後方面」とは、羽根車４１の回転方向Ｒに関して後方を向く面を意味する。
【００１０】
図１７は、図１５のポンプケーシング４２の内部を拡大して示す図である。吸込口４２ｂから吸い込まれた汚水は、回転する羽根車４１の羽根４０の間を通って半径方向外側（換言すれば、羽根車４１の外周側）に流れ、ポンプケーシング４２の側壁に衝突して軸方向に向きを変える。こうして、図１７の矢印Ｖで示すような渦流が形成される。渦の強さが大きいほど汚水は効率よく吐出口４２ａから排出される。
【００１１】
上記したように、ボルテックス形ポンプは、比較的大きな異物でも容易に排出することができるように、羽根車の羽根の下面とケーシング底面との間に大きな間隙を形成するように構成されている。これにより、異物によるポンプ内での閉塞事故の発生を低減することができる。しかし、この大きな間隙によって、ボルテックス形ポンプは、他のセミオープン羽根車やクローズ羽根車と比較して低いポンプ効率を有することが知られている。
【００１２】
特開昭６１−２７９７９８号は、渦ポンプの羽根車の各羽根にフランジ部を設けることにより、有害な流れを羽根内部から遮断しポンプ効率の向上を図っている。また、特開２００９−２９３５４７号は、羽根の前縁勾配を段階的に変化させることでボルテックスポンプのポンプ効率と異物通過性の両立を図っている。
【先行技術文献】
【特許文献】
【００１３】
【特許文献１】特開昭６１−２７９７９８号
【特許文献２】特開２００９−２９３５４７号
【発明の概要】
【発明が解決しようとする課題】
【００１４】
本発明の一つの目的は、従来の羽根形状を複雑に変形させることなくポンプ効率を向上させることができ、且つ、低コストで容易に製造することができるボルテックス形ポンプ用羽根車を提供することである。また、本発明のもう一つの目的は、従来の羽根形状を複雑に変形させることなくポンプ効率を向上させることができ、且つ、低コストで容易に製造することができるボルテックス形ポンプ用羽根車を備えるボルテックス形ポンプを提供することである。
【課題を解決するための手段】
【００１５】
本発明の一実施形態によれば、ボルテックス形ポンプ用の羽根車であって、主板と、主板に固定される複数の羽根とを備えており、複数の羽根は、互いに且つ主板と別体に構成されており、複数の羽根のうち少なくとも１つの羽根の前方面が、少なくとも部分的に、主板から、羽根車の回転方向と逆方向に羽根車の中心軸に対して傾斜して延びている、羽根車が提供される。この構成によれば、羽根の入口側から出口側に向けて流れる汚水は、ケーシングの側壁に到達する前に羽根の前方面の傾斜部によって軸方向に押される。これにより、汚水の軸方向の流れを強くすることができる。従って、羽根の前方面が中心軸に対して平行に延在する従来のボルテックス形ポンプと比較して、ポンプ効率を向上させることができる。また、汚水中の異物が羽根の出口側まで運ばれて羽根に引っ掛かるおそれを最小限にすることができる。従って、異物によって羽根車の回転が妨げられることがないので、従来技術と比較してポンプ効率を向上させることができる。また、複数の羽根は、互いに且つ主板と別体に構成されているので、羽根の形状に妨げられることなく、羽根車を低コストで容易に製造することができる。
【００１６】
本発明の一実施形態によれば、少なくとも１つの羽根の後方面が、前方面と平行に延びている。
【００１７】
本発明の一実施形態によれば、複数の羽根の各々は、主板の下面に取り付けられる取り付け面を備えている。
【００１８】
本発明の一実施形態によれば、主板は、複数の羽根を主板に取り付けるための複数の取り付け開口を備えており、複数の羽根は、それぞれ、取り付け開口に嵌め込まれる嵌合部を備えている。
【００１９】
本発明の一実施形態によれば、上記のいずれかに記載の羽根車を備える、ボルテックス形ポンプが提供される。
【００２０】
本発明の一実施形態によれば、複数の羽根のうち少なくとも１つの羽根の前方面が、少なくとも部分的に、主板から羽根車の中心軸に対して傾斜して延びているボルテックス形ポンプ用羽根車を製造する方法であって、主板を用意する工程と、互いに且つ主板と別体に形成される複数の羽根を用意する工程と、少なくとも１つの羽根の前方面が、少なくとも部分的に、主板から、羽根車の回転方向と逆方向に羽根車の中心軸に対して傾斜して延びるように、複数の羽根の各々の取り付け部を主板に取り付ける工程と、を備える方法が提供される。この構成によれば、羽根の形状に妨げられることなく、羽根車を低コストで容易に製造することができる。
【００２１】
本発明の一実施形態によれば、取り付ける工程は、取り付け部を主板の下面に面接触させる工程を含む。
【００２２】
本発明の一実施形態によれば、主板を用意する工程は、取り付け部に対応する取り付け開口を主板の下面に形成する工程を含み、取り付ける工程は、取り付け部を主板の取り付け開口に嵌め込む工程を含む。
【図面の簡単な説明】
【００２３】
【図１】本発明の第一実施形態によるボルテックス形ポンプの構造を示す図である。
【図２】本発明の第一実施形態によるボルテックス形ポンプ用羽根車を示す図である。
【図３】図２のＡ−Ａ線断面図である。
【図４Ａ】図２の羽根車の主板を単体で示す図である。
【図４Ｂ】図２の羽根車の複数の羽根の各々を単体で示す図である。
【図５】ボルテックス形ポンプ用羽根車の比較例を説明する図である。
【図６】図３に対応する、本発明の第二実施形態によるボルテックス形ポンプ用羽根車を示す図である。
【図７】本発明の第二実施形態によるボルテックス形ポンプ用羽根車の下方斜視図である。
【図８Ａ】図７の羽根車の主板を単体で示す図である。
【図８Ｂ】図７の羽根車の複数の羽根の各々を単体で示す図である。
【図９】図３に対応する、本発明の第三実施形態によるボルテックス形ポンプ用羽根車を示す図である。
【図１０】本発明の第三実施形態によるボルテックス形ポンプ用羽根車の下方斜視図である。
【図１１Ａ】図１０の羽根車の主板を単体で示す図である。
【図１１Ｂ】図１０の羽根車の複数の羽根の各々を単体で示す図である。
【図１２】図３に対応する、本発明の第四実施形態によるボルテックス形ポンプ用羽根車を示す図である。
【図１３】本発明の第四実施形態によるボルテックス形ポンプ用羽根車の下方斜視図である。
【図１４Ａ】図１３の羽根車の主板を単体で示す図である。
【図１４Ｂ】図１３の羽根車の複数の羽根の各々を単体で示す図である。
【図１５】従来のボルテックス形ポンプの構造の例を示す図である。
【図１６】従来のボルテックス形ポンプ用羽根車の例を示す図である。
【図１７】図１５のケーシング内部の拡大図である。
【発明を実施するための形態】
【００２４】
図１は、本発明の第一実施形態によるボルテックス形ポンプの構造を示す図である。なお、図１５乃至図１７に示す従来例と同一部分には同一符号を付してその説明を省略する。尚、以下の説明において、「上」、「下」等の方向を示す用語は、図１に示すボルテックス形ポンプの設置状態における方向を意味する。
【００２５】
本実施形態では、図１に示すようにポンプ部３に複数の羽根５０を有し、主軸１の先端にこれと一体に回転するように連結されたボルテックス形ポンプ用羽根車５１が備えられた基本的な構造は、従来の技術と同様である。また、この羽根車５１は、吐出口５２ａと吸込口５２ｂを有しポンプ台５５に支持されたポンプケーシング５２によって覆われ、ポンプ室５３内に収納されている。ポンプケーシング５２の下部から湧水・汚水等を吸い込んでその側面から吐出するようになっている構造も、従来の技術と同様である。
【００２６】
図２は、本発明の一実施形態によるボルテックス形ポンプ用羽根車５１を示す図である。図２の例において、羽根車５１は、シュラウド面（換言すれば、下面）５０ｃを有する主板５６と、主板５６に固定された複数の羽根５０とを備えている。主板５６に固定される各羽根５０は、互いに平行に延在する前方面５０ａと後方面５０ｂを備える。この例では、羽根車５１の複数の羽根５０のうち全ての羽根５０が、羽根車５１の回転方向Ｒと逆方向に羽根車５１の中心軸（換言すれば、回転中心軸）Ｃに対して傾斜している。ここで、「羽根の前方面」とは、羽根車５１の回転方向Ｒに関して前方を向く面を意味し、「羽根の後方面」とは、羽根車５１の回転方向Ｒに関して後方を向く面を意味する。
【００２７】
図３は、図２のＡ−Ａ線断面図であり、羽根５０の出口側から羽根車５１の内部（すなわち、羽根車５１の周方向に隣接する羽根５０の間に形成される流路）を見た図である。図３に示すように、本実施形態では、各羽根５０は、中心軸Ｃに対して角度θだけ回転方向Ｒと逆方向に傾斜している。
【００２８】
羽根４０の前方面４０ａが中心軸Ｃに対して平行に延びている従来のボルテックス形ポンプ用羽根車４１では、羽根４０の間を通る汚水が羽根４０の出口側でケーシング４２の側壁と衝突して軸方向流れを形成する。従って、衝突によるエネルギー損失により軸方向流れが弱いものとなる。一方、本実施形態では、羽根５０の前方面５０ａが、回転方向Ｒと逆方向に中心軸Ｃに対して傾斜している。この傾斜する前方面５０ａは、図３の矢印Ｆで示すように、羽根５０の入口側から出口側に流れる汚水を、羽根５０の下面に向けて（すなわち、軸方向に向けて）押し出すように作用する。従って、軸方向の流れを強くすることができる。これにより、渦の強さを大きくすることができ、汚水を効率よく排出することができる。
【００２９】
従って、本発明の一実施形態によれば、図３に示すように、少なくとも羽根５０の前方面５０ａが、回転方向Ｒと逆方向に中心軸Ｃに対して傾斜していればよい。しかし、本発明の他の実施形態によれば、羽根車５１の羽根５０の前方面５０ａは、部分的に中心軸Ｃ
に対して傾斜していてもよい。この場合でも、少なくとも、前方面５０ａの傾斜する部分によって汚水は軸方向に押し出されるので、渦の強さを従来よりも大きくすることができる。羽根車５１の羽根５０の前方面５０ａが部分的に傾斜する場合、羽根５０の出口側（換言すれば、羽根車５１の外周側）に位置する部分が傾斜することが好ましい。これにより、全体的に大きな強い渦流を形成することができる。
【００３０】
また、図２の実施形態では、複数の羽根５０のうち全ての羽根５０の前方面５０ａが、回転方向Ｒと逆方向に中心軸Ｃに対して傾斜している。しかし、本発明の他の実施形態では、複数の羽根５０のうち一部の羽根５０が傾斜していてよい。この場合でも、少なくとも、傾斜する羽根５０の前方面５０ａを通過する汚水は軸方向に押し出されるので、渦の強さを従来よりも大きくすることができる。
【００３１】
また、羽根５０の前方面５０ａが回転方向Ｒと逆方向に中心軸Ｃに対して傾斜していることは、強い渦流を形成することができることに加えて、羽根車５１の内部に入り込んだ異物が羽根５０の出口側で引っ掛かり、羽根車５１の回転を妨げるおそれを最小限にすることができる効果を奏する。
【００３２】
さらに、例えば図３に示されるように、第一実施形態では、複数の羽根５０は互いに且つ主板５６と別体に構成されている。具体的には、第１実施形態のボルテックス形ポンプ用羽根車５１は、図４Ａに示す主板５６と図４Ｂに示す互いに別体である複数の羽根５０とから構成されてよい。この構成により、従来の型成形（換言すれば、鋳造または射出成形）またはプレス加工による羽根車５１の製造を低コストで容易に行うことができる。このことを、図５を参照して説明する。
【００３３】
図５は、ボルテックス形ポンプ用羽根車５１の比較例として、主板６６と複数の羽根６０とが一体成形されるボルテックス形ポンプ用羽根車６１の部分を示している。具体的には、図５は、羽根６０の前方面６０ａ及び後方面６０ｂの各々が、羽根車６１の中心軸Ｃに対して傾斜している、一体成形されたボルテックス形ポンプ用羽根車６１を示している。図５はまた、羽根車６１の成形用キャビティを形成する型７０も示している。型７０は、上型部分７０ａ及び下型部分７０ｂに二分割されている。これらの型部分７０ａ、７０ｂの間に形成された、成形品（換言すれば、羽根車６１）と同一形状のキャビティ内に金属またはプラスチック材料を流し込むことができる。
【００３４】
このように二分割された型７０を用いて主板６６と羽根６０とが一体化された羽根車６１を成形する場合、成形品から型７０を分離する方向（換言すれば、型部分７０ａ、７０ｂを引き抜く方向）は、必然的に、羽根車６１の中心軸Ｃに沿う方向（図５の上下方向）に制限される。しかし、比較例のように羽根６０の後方面６０ｂが前方面６０ａと同じ方向に傾斜していると、成形品から型７０を分離することが困難となる。具体的には、型７０を引き抜く際に、下型部分７０ｂにおける、羽根６０の後方面６０ｂと主板６６との間に存在する部分（図５中、７１で示す三角形状の部分）が後方面６０ｂと干渉し、下型部分７０ｂを成形品から分離することができない。従って、下型部分７０ｂをさらに分割する等の対策が必要となる。
【００３５】
これに対し、第一実施形態の羽根車５１では、例えば図３に示すように、複数の羽根５０が主板５６と別体であり、且つ、互いに別体である。従って、複数の羽根５０の各々を個別に型成形することができる。従って、上記比較例と比べて、型の分割及び引き抜き方向を比較的自由に設定することができる。
【００３６】
尚、第一実施形態では、各羽根５０は、前方面５０ａ及び後方面５０ｂを備える本体部５０１と、本体部５０１を主板５６に取り付けるための取り付け部５０２とを備えている
。取り付け部５０２は、取り付け面５０３を有しており、主板５６の下面５０ｃに面接触により取り付けられる。取り付け手段は、特に限られないが、例えば、溶接、ねじ止め等が挙げられる。
【００３７】
次に、図６〜図８Ｂを参照して、本発明の第二実施形態を説明する。図６は、図３に対応する、第二実施形態によるボルテックス形ポンプ用羽根車１５１を示す図である。図７は、ボルテックス形ポンプ用羽根車１５１の下方斜視図である。図８Ａは、図７の羽根車１５１の主板１５６を単体で示す図であり、図８Ｂは、図７の羽根車１５１の複数の羽根１５０の各々を単体で示す図である。第二実施形態の羽根車１５１では、各羽根１５０は、前方面１５０ａ及び後方面１５０ｂを備える本体部１５０１と、本体部１５０１を主板１５６に取り付けるための取り付け部１５０２とを備えている。第一実施形態の取り付け部５０２と異なり、第二実施形態の取り付け部１５０２は、主板１５６の取り付け開口１５７に嵌め込まれる嵌合部を形成している。取り付け開口１５７は、図８Ａに明確に示される。嵌合部１５０２の軸線方向（換言すれば、羽根車１５１の中心軸に沿う方向）の寸法を、主板１５６の厚さと実質的に同じに設定することができる。取り付け開口１５７により、主板１５６に対する羽根１５０の位置決めを容易に行うことができる。尚、取り付け開口１５７は、主板１５６の下面１５０ｃに形成されていればよく、必ずしも図示されるような貫通穴でなくてもよい。
【００３８】
次に、図９〜図１１Ｂを参照して、本発明の第三実施形態を説明する。図９は、図３に対応する、本発明の第三実施形態によるボルテックス形ポンプ用羽根車２５１を示す図である。図１０は、ボルテックス形ポンプ用羽根車２５１の下方斜視図である。図１１Ａは、羽根車２５１の主板２５６を単体で示す図であり、図１１Ｂは、羽根車２５１の複数の羽根２５０の各々を単体で示す図である。
【００３９】
第三実施形態では、各羽根２５０は、前方面２５０ａ及び後方面２５０ｂを備える本体部が取り付け面２５０ｄを備えており、取り付け面２５０ｄが、本体部を主板２５６に取り付けるための取り付け部を形成する。各羽根２５０は、主板２５６の下面２５０ｃに面接触により取り付けられる。取り付け手段は、特に限られないが、例えば、溶接、ボルト締め等が挙げられる。
【００４０】
次に、図１２〜図１４Ｂを参照して、本発明の第四実施形態を説明する。図１２は、図３に対応する、本発明の第四実施形態によるボルテックス形ポンプ用羽根車３５１を示す図である。図１３は、ボルテックス形ポンプ用羽根車３５１の下方斜視図である。図１４Ａは、羽根車３５１の主板３５６を単体で示す図であり、図１４Ｂは、羽根車３５１の複数の羽根３５０の各々を単体で示す図である。第四実施形態の羽根車３５１では、各羽根３５０は、前方面３５０ａ及び後方面３５０ｂを備える本体部３５０１と、本体部３５０１を主板３５６に取り付けるための取り付け部３５０２とを備えている。取り付け部３５０２は、主板３５６の取り付け開口３５７に嵌め込まれる嵌合部を形成している。取り付け開口３５７は、図１４Ａに明確に示される。嵌合部３５０２の軸線方向（換言すれば、羽根車３５１の中心軸に沿う方向）の寸法を、主板３５６の厚さと実質的に同じに設定することができる。取り付け開口３５７により、主板３５６に対する羽根３５０の位置決めを容易に行うことができる。尚、取り付け開口３５７は、主板３５６の下面３５０ｃに形成されていればよく、必ずしも図示されるような貫通穴でなくてもよい。
【産業上の利用可能性】
【００４１】
本発明は、ボルテックス形ポンプに広く適用することができる。
【符号の説明】
【００４２】
Ｒ…回転方向
Ｃ…中心軸
１…主軸
２…モータ部
３…ポンプ部
５…ロータ
６…ステータ巻線
７…ステータ
８…モータ室
１０…モータフレーム
１１…モータカバー
１２…水中ケーブル
１３…上部軸受
１４…負荷側ブラケット
１５…下部軸受
１６…把手
２４…吐出曲管
３０…中間ケーシング
３１…メカニカルシール室
３２…オイルシール
４０…羽根
４１…ボルテックス形ポンプ用羽根車
４２…ポンプケーシング
４３…ポンプ室
４５…ポンプ台
４ａ…上部メカニカルシール
４ｂ…下部メカニカルシール
５０…羽根
５１…ボルテックス形ポンプ用羽根車
５２…ポンプケーシング
５３…ポンプ室
５５…ポンプ台
５６…主板
４０ａ…前方面
４０ｂ…後方面
４０ｃ…シュラウド面
４２ａ…吐出口
４２ｂ…吸込口
５０ａ…前方面
５０ｂ…後方面
５０ｃ、１５０ｃ、２５０ｃ、３５０ｃ…シュラウド面（下面）
５２ａ…吐出口
５２ｂ…吸込口
６１…羽根車
６０ａ…前方面
６０ｂ…後方面
６６…主板
７０…型
７０ａ…上型部分
７０ｂ…下型部分
７１…干渉部
１５０…羽根
１５０ａ、２５０ａ、３５０ａ…前方面
１５０ｂ、２５０ｂ、３５０ｂ…後方面
１５１、２５１、３５１…羽根車
１５６、２５６、３５６…主板
１５７、３５７…取り付け開口
５０１、１５０１、３５０１…本体部
５０２、１５０２、３５０２…取り付け部
５０３、２５０ｄ…取り付け面
【図１】
2018009501.tif 000003
【図２】
2018009501.tif 000004
【図３】
2018009501.tif 000005
【図４Ａ】
2018009501.tif 000006
【図４Ｂ】
2018009501.tif 000007
【図５】
2018009501.tif 000008
【図６】
2018009501.tif 000009
【図７】
2018009501.tif 000010
【図８Ａ】
2018009501.tif 000011
【図８Ｂ】
2018009501.tif 000012
【図９】
2018009501.tif 000013
【図１０】
2018009501.tif 000014
【図１１Ａ】
2018009501.tif 000015
【図１１Ｂ】
2018009501.tif 000016
【図１２】
2018009501.tif 000017
【図１３】
2018009501.tif 000018
【図１４Ａ】
2018009501.tif 000019
【図１４Ｂ】
2018009501.tif 000020
【図１５】
2018009501.tif 000021
【図１６】
2018009501.tif 000022
【図１７】
2018009501.tif 000023